(57)【特許請求の範囲】
【請求項１】
空調機の内部から発生した凝縮水を貯蔵する凝縮水貯蔵槽と、
該凝縮水貯蔵槽に貯溜された凝縮水を外部に排出する排出部と、
前記空調機の作動が停止されるとき、該停止された停止時間を測定する測定部と、
前記空調機が冷房強制運転モードの場合、前記空調機が清掃モードの場合、または前記停止時間が設定時間以上になる場合のいずれかのときに、排出部を動作させて凝縮水を外部に排出させる制御部と、を包含して構成されることを特徴とする空調機の凝縮水除去装置。
【請求項２】
前記排出部は、排水管及び排水ポンプから構成されることを特徴とする請求項１記載の空調機の凝縮水除去装置。
【請求項３】
前記凝縮水貯蔵槽に貯溜された凝縮水の量を測定するための凝縮水の測定部が追加して包含され、前記排出部は、前記空調機が動作する時、凝縮水の測定部で測定された凝縮水の量が設定量以上の場合、凝縮水を外部に排出させるように前記制御部によって制御されることを特徴とする請求項２記載の空調機の凝縮水除去装置。
【請求項４】
前記制御部は、前記空調機が冷房運転を開始する時、前記排出部を制御して凝縮水を外部に排出させるように構成されることを特徴とする請求項１記載の空調機の凝縮水除去装置。
【請求項５】
前記制御部は、前記空調機が冷房運転を停止する時、前記排出部を制御して凝縮水を外部に排出させるように構成されることを特徴とする請求項１記載の空調機の凝縮水除去装置。
【請求項６】
空調機の動作が停止されると、該作動が停止された停止時間を測定する段階と、
前記空調機が冷房強制運転モードの場合、前記空調機が清掃モードの場合、または前記停止時間が設定時間以上になる場合のいずれかのときに、前記空調機の凝縮水貯蔵槽に貯溜された凝縮水を外部に排出させる段階と、を順次行うことを特徴とする凝縮水除去方法。
【請求項７】
前記空調機の凝縮水貯蔵槽に貯溜された凝縮水は、排水ポンプによって外部に排出されることを特徴とする請求項６記載の空調機の凝縮水除去方法。
【請求項８】
前記空調機が動作すると、前記凝縮水貯蔵槽に貯溜された凝縮水の量を測定する段階と、
該測定された凝縮水の量が既設定量以上である場合、前記凝縮水を外部に排出させる段階と、が追加して包含されることを特徴とする請求項７記載の空調機の凝縮水除去方法。
【請求項９】
前記空調機が冷房運転を開始する時、凝縮水を外部に排出させる段階が追加して包含されることを特徴とする請求項６記載の空調機の凝縮水除去方法。
【請求項１０】
前記空調機が冷房運転を停止する時、凝縮水を外部に排出させる段階が追加して包含されることを特徴とする請求項６記載の空調機の凝縮水除去方法。
【請求項１１】
空調機の内部から発生した凝縮水を貯蔵する凝縮水貯蔵槽と、
該凝縮水貯蔵槽に貯溜された凝縮水を外部に排出する排出部と、
前記空調機の動作が停止されるとき、該動作が停止された停止時間を測定する測定部と、
前記凝縮水貯蔵槽に貯溜された凝縮水の量を測定する凝縮水の測定部と、
前記空調機が冷房強制運転モードの場合、前記空調機が清掃モードの場合、または前記停止時間が設定時間以上になる場合のいずれかのときに、排出部を動作させて凝縮水を外部に排出させ、前記空調機が動作する時には凝縮水の測定部で測定された凝縮水の量が設定量以上の場合、凝縮水を外部に排出させる制御部と、を包含して構成されることを特徴とする空調機の凝縮水除去装置。
【発明の詳細な説明】
【０００１】
【発明の属する技術分野】
本発明は、空調機に係るもので、詳しくは、空調機から発生する凝縮水を除去し得る凝縮水除去装置及びその除去方法に関するものである。
【０００２】
【従来の技術】
一般に、空気調和機は、一定の空間を人間が活動するのに適当な温度・湿度及び気流の分布に調節すると共に空気中の埃などの異物質を除去する装置である。
且つ、空調機の動作中には、凝縮水が発生し、該空気から発生した凝縮水は、細菌の繁殖、黴の棲息及び腐敗によって悪臭が発生すると共に、前記空調機が動作される室内の空気が汚染される。
従って、空調機から発生する凝縮水を除去するために、パイプなどを利用して自然に排水を行うか又は、排水ポンプを利用して室内空調機の内部に流入される凝縮水を除去させる。
【０００３】
即ち、排水ポンプを利用して凝縮水を除去する場合、凝縮水の量が所定高さになると、自動的に排水ポンプが動作することで外部に凝縮水をポンピングするが、このとき、凝縮水レベルセンサが動作する高さ以下に溜まっている凝縮水は、常時室内空調機の内部に満ちているため、冷房停止時又は長期間空調機を使用しない場合、凝縮水に細菌の繁殖、黴の棲息及び腐敗によって空調機が汚染されると共に、空調機の撤去時に凝縮水が室内にあふれ出して室内のインテリアーを損傷させるという問題点がある。
【０００４】
そして、従来の空調機においては、図３に示したように、室内熱交換器３から吐出される低温及び低圧状態の冷媒ガスを高温及び高圧状態のガスに圧縮する圧縮機１と、該圧縮機１で圧縮された高温及び高圧状態の冷媒ガスが通過しながら周辺の水又は空気と熱を交換する室外熱交換器２と、該室外熱交換器２を通過した冷媒を低温及び低圧状態に変化させる膨脹装置４と、該膨脹装置４を通過した低温及び低圧の冷媒が通過しながら周辺の空気と熱を交換する室内熱交換器３と、暖房又は冷房の作動モードによって、前記冷媒の流動方向を調節する四方バルブ８と、定温除湿の時、高圧の冷媒をそのまま前記室内熱交換器３に流動させる二方バルブＢ１と、室内空気を吸入して前記室内熱交換器３の表面を通過させて外部に吐出する室内ファン７と、を包含して構成されていた。
【０００５】
又、前記室内熱交換器３は、定温除湿の時、高圧下で液体状と気体状とが混合された冷媒が通過しながら熱を放出させて高圧の液体状態の冷媒を吐出する第１熱交換器３ａと、該第１熱交換器３ａの高圧の液体状態の冷媒を低圧の液体状態に降下させる膨脹装置５と、該膨脹装置５を通って低圧下で液体状と気体状とが混合された冷媒を吸入して蒸発させることで、低温／低圧の気体状態の冷媒を吐出する第２熱交換器３ｂと、定温除湿の時、前記第１熱交換器３ａから吐出される高圧の液体状態の冷媒が直接第２熱交換器３ｂに吐出されることを遮断する二方バルブＢ２と、を包含して構成される。
【０００６】
又、前記空調機から発生する凝縮水を除去するための従来の凝縮水除去装置においては、図５に示したように、凝縮水貯蔵槽２３に貯溜される凝縮水の量を感知する凝縮水レベルセンサ２２と、前記凝縮水貯蔵槽２３に貯溜された凝縮水をパイプ２５を通して外部に排出する排水ポンプ２４と、前記凝縮水レベルセンサ２２で感知される凝縮水の量により前記排水ポンプ２４の駆動を制御する制御部２１と、を包含して構成されていた。
【０００７】
以下、このように構成された従来の空調機の動作に対して説明する。
先ず、暖房モードの場合、圧縮機１で高温高圧状態に圧縮された冷媒は、四方バルブ８を経て室内熱交換器３に流入されて凝縮された後、膨脹装置４を通過しながら低温低圧状態になる。
且つ、室内ファン７は、室内空気を吸入して前記室内熱交換器３の表面を通過させて再び外部に吐出させることで、室内空気は、前記室内熱交換器３と熱交換しながら室内の温度を上昇させ、前記室内熱交換器３は、第１熱交換器３ａと第２熱交換器３ｂ間の二方バルブＢ２を開放させて凝縮機として動作する。
【０００８】
次いで、前記室外熱交換器２は、低温低圧状態の冷媒を吸入してこれを蒸発させて気体状態に変化させ、前記圧縮機１は、前記室外熱交換器３から吐出される気体状態の冷媒を吸入して高温高圧の状態に圧縮するが、このような動作を反復遂行することで暖房運転が遂行される。
又、冷房モードの場合には、前記圧縮機１で高温高圧の状態に圧縮された冷媒は、四方バルブ８を経て前記室外熱交換器２に流入されて凝縮された後、前記膨脹装置４通過しながら低温低圧の状態になる。
【０００９】
次いで、前記室内熱交換器３は、前記低温低圧の状態の冷媒を吸入してこれを蒸発させて気体状態に変化させて吐出し、前記圧縮機１は、前記室内熱交換器３から吐出される気体状態の冷媒を吸入してこれを再び高温高圧の状態に圧縮する。
この時、前記室内熱交換器３は、前記第１熱交換器３ａと第２熱交換器３ｂ間の二方バルブＢ２を開放して蒸発器として動作し、前記室内ファン７は、室内空気を吸入して、前記室内熱交換器３の表面に通過させ、再び外部に吐出させることで、室内空気は、前記室内熱交換器３と熱交換しながら室内の温度を下降させる。
【００１０】
一方、定温除湿の場合、圧縮機１で高温高圧状態に圧縮された冷媒は、四方バルブ８を経て前記室外熱交換器２に流入されるが、この時、前記室外ファン６は、低回転数に回転するので、高温高圧の冷媒は殆ど冷却されない状態に、前記二方バルブＢ１を通過してそのまま前記室内熱交換器３に流入される。
次いで、前記室内熱交換器３は、内部の二方バルブＢ２を遮断して、前記第１熱交換器３ａと第２熱交換器３ｂとに分離して使用する。
【００１１】
即ち、前記第１熱交換器３ａは、高圧の液体状と気体状とが混合された冷媒を吸入して熱を放出させて高圧の液体状態に吐出し、前記第２熱交換器３ｂは、前記第１熱交換器３ａから吐出される高圧の液体状態の冷媒を前記膨脹装置５を通って低圧の液体状態に吸入してこれを蒸発させて低温低圧の気体状態の冷媒を吐出する。
この時、室内ファン７により吸入された室内空気が、前記第２熱交換器３ｂの冷却された表面を通過しながら熱交換されて湿気が除去された後、その湿気の除去された乾燥空気は第１熱交換器３ａの加熱された表面を通過しながら加熱されて室内に吐出される。
【００１２】
且つ、室内空気が空調機の前記室内熱交換器３と熱交換をする過程においては、図４に示したように、前記吸入部１１を通って前記本体１０に吸入された空気は、前記室内熱交換器３を通過しながら該室内熱交換器３の内部に流れる冷媒の蒸発潜熱により冷却され、前記室内熱交換器３で冷却された空気は、前記室内ファン７により上部に案内されて吐出部１２を通って室内に吐出されるが、該吐出部１２を通って吐出される空気は、上下風向ベーン１２ａ及び左右風向ベーン１２ｂの角度によって上下又は左右に風向が調節されながら室内の冷房を遂行する。図中、未説明符号１４は、室内吸入温度センサを示したものである。
【００１３】
【発明が解決しようとする課題】
然るに、このような従来の空調機においては、前記凝縮水レベルセンサ２２の動作する高さ以下に溜まっている凝縮水は、常時前記室内空調機２０の内部に貯溜されるようになるため、冷房停止時又は長期間空調機を使用しない場合は、該凝縮水に細菌の繁殖、黴の棲息及び腐敗によって室内空調機が汚染されると共に、空調機の撤去時に凝縮水が室内にあふれることで、室内のインテリアーを損傷させるという不都合な点があった。
【００１４】
本発明は、このような従来の課題に鑑みてなされたもので、空調機が設定時間以上停止されるか又は、強制冷房運転モードになるときは、凝縮水量の多少に拘りなく、それら凝縮水を外部に排出し得る空調機の凝縮水除去装置及びその除去方法を提供することを目的とする。
【００１５】
【課題を解決するための手段】
このような目的を達成するため、本発明に係る空調機の凝縮水除去装置においては、空調機の内部から発生した凝縮水を貯蔵する凝縮水貯蔵槽と、該凝縮水貯蔵槽に貯溜された凝縮水を外部に排出する排出部と、前記空調機の動作が停止されるとき、該停止された停止時間を測定する測定部と、前記停止時間が設定時間以上になると、排出部を動作させて凝縮水を外部に排出させる制御部と、を包含して構成されることを特徴とする。
【００１６】
又、本発明に係る空調機の凝縮水除去装置においては、空調機の内部から発生した凝縮水を貯蔵する凝縮水貯蔵槽と、該凝縮水貯蔵槽に貯溜された凝縮水を外部に排出する排出部と、前記空調機の動作が停止されるとき、該動作が停止された停止時間を測定する測定部と、前記凝縮水貯蔵槽に貯溜された凝縮水の量を測定する凝縮水の測定部と、前記停止時間が設定時間以上になると、排出部を動作させて凝縮水を外部に排出させ、前記空調機が動作する時には、凝縮水の測定部で測定された凝縮水の量が設定量以上の場合、凝縮水を外部に排出させる制御部と、を包含して構成されることを特徴とする。
【００１７】
又、本発明に係る空調機の凝縮水除去方法においては、空調機の動作が停止されると、該動作が停止した停止時間を測定する段階と、該停止時間が設定時間以上になると、前記空調機の凝縮水貯蔵槽に貯溜された凝縮水を外部に排出させる段階と、を順次行うことを特徴とする。
【００１８】
【発明の実施の形態】
以下、本発明の実施の形態に対し、図面を用いて説明する。
本発明に係る空調機の凝縮水除去装置においては、図１に示したように、空調機２００の内部から発生した凝縮水を貯蔵する凝縮水貯蔵槽２３０と、該凝縮水貯蔵槽２３０に貯溜された凝縮水を外部に排出する排出部２４０と、前記空調機の動作が停止されるとき、該動作が停止された停止時間を測定する測定部２５０と、該測定部２５０から測定された停止時間が設定時間以上になるとき、前記排出部２４０を制御して凝縮水を外部に排出させる制御部２１０と、を包含して構成されている。
【００１９】
又、前記凝縮水貯蔵槽２３０は、空調機の内部に装着されて空調機の動作中に室内熱交換器３００から発生する凝縮水を貯溜し、前記排出部２４０は、前記凝縮水貯蔵槽２３０の内部に装着されて制御部２１０の制御により前記凝縮水貯蔵槽２３０に貯溜された凝縮水を空調機の外部に排出させる。且つ、前記排出部２４０は、排水ポンプ２４１及び排水管２４２が前記凝縮水貯蔵槽２３０に連結されて該凝縮水貯蔵槽２３０に貯溜された凝縮水を制御部２１０の制御によって強制的に外部に排出させる。
【００２０】
又、前記測定部２５０は、空調機の停止時間を測定するために例えば、タイマーが前記制御部２１０に連結され、前記制御部２１０は、測定部２５０によって測定された停止時間と予め設定された設定時間とを比較して停止時間が設定時間より大きいときは、前記排出部２４０を動作させることで、前記凝縮水貯蔵槽２３０の凝縮水を空調機の外部に排出させる。
且つ、前記制御部２１０は、空調機の動作モードが冷房強制運転モード及び清掃モードの場合も、前記排出部２４０を動作させて前記凝縮水貯蔵槽２３０内の凝縮水を空調機の外部に排出させ、空調機が冷房運転を開始する時、及び停止する時も前記排出部２４０を動作させて前記凝縮水貯蔵槽２３０内の凝縮水を空調機の外部に排出させる。
【００２１】
以下、上記のように構成される本発明に係る空調機の凝縮水除去装置の動作に対して説明する。
空調機が動作を停止すると、前記測定部２５０によって停止時間が測定され、前記制御部２１０は、前記測定された停止時間と予め設定された設定時間とを比較し、停止時間が設定時間より大きいときに、前記排出部２４０を動作させる。
次いで、前記排出部２４０は、前記制御部２１０から入力された制御信号によって、前記排水ポンプ２４１が作動されることで、前記凝縮水貯蔵槽２３０の凝縮水が、前記排水管２４２を通って空調機の外部に排出される。
【００２２】
一方、前記空調機が動作する場合には、前記凝縮水の測定部２２０が凝縮水貯蔵槽２３０に貯溜された凝縮水の量を測定し、該測定された凝縮水の量は、前記制御部２１０によって予め設定された設定値と比較され、該比較結果、凝縮水の量が設定値以上の場合には、前記制御部２１０が排出部２４０を動作させて凝縮水を空調機の外部に排出させる。
又、前記制御部２１０は、空調機の動作モードの冷房強制モード又は清掃モードの与否を判断し、その動作モードが冷房強制モード又は清掃モードの場合には、前記排出部２４０を動作させる。
【００２３】
又、前記制御部２１０は、冷房運転の開始及び停止の与否を夫々判断し、空調機が冷房運転を開始及び停止する場合も、前記制御部２１０は、前記排出部２４０を作動させる。
このような本発明に係る空調機の凝縮水除去方法の制御過程を示したフローチャートが図２に示されている。
【００２４】
【発明の効果】
以上説明したように、本発明に係る空調機の凝縮水除去装置及び除去方法においては、空調機が所定時間停止するか、又は冷房強制モードになると、前記凝縮水の測定部２２０の信号有無に関係なく排出部を動作させて凝縮水を強制的に外部に排出するようになっているため、冷房停止時又は長期間空調機を使用しない場合に発生する従来の凝縮水による細菌の繁殖、黴の棲息及び腐敗による悪臭を除去し得るという効果がある。
【図面の簡単な説明】
【図１】本発明に係る空調機の凝縮水除去装置の構成を示したブロック図である。
【図２】本発明に係る空調機の凝縮水除去方法を示したフローチャートである。
【図３】従来の空調機の構成を示した概略ブロック図である。
【図４】従来の空調機の室内部の空気の流れを示した概略説明図である。
【図５】従来の空調機の凝縮水除去装置の構成を示した概略ブロック図である。
【符号の説明】
２００…空調機
２１０…制御部
２２０…凝縮水の測定部
２３０…凝縮水貯蔵槽
２４０…排出部
２４１…排水ポンプ
２４２…排水管
２５０…測定部
【図１】
0003713009.tif 000002
【図２】
0003713009.tif 000003
【図３】
0003713009.tif 000004
【図４】
0003713009.tif 000005
【図５】
0003713009.tif 000006